【手続補正書】
【提出日】平成16年4月1日(2004.4.1)
【手続補正１】
【補正対象書類名】明細書
【補正対象項目名】全文
【補正方法】変更
【補正の内容】
【発明の名称】車載用のカレンダー出力装置
【特許請求の範囲】
【請求項１】車載機器の電源投入を検出する検出手段、
カレンダー情報を記憶する記憶手段、そして
前記検出手段からの電源投入検出信号によって前記記憶手段からカレンダー情報を読み出し、それを所定のカレンダー出力手段に出力する制御手段から構成することを特徴とする車載用のカレンダー出力装置。
【請求項２】前記検出手段は、ＡＣＣのオン信号によって車載機器の電源投入を検出することを特徴とする、請求項１記載の車載用のカレンダー出力装置。
【請求項３】さらに、前記カレンダー情報を画面に表示するか、及び／又は音声メッセージとして出力するか否かを選択的に指示する出力選択手段を有することを特徴とする、請求項１又は２記載の車載用のカレンダー出力装置。
【請求項４】さらに、前記ディスプレイ装置へのカレンダー表示時間を計数する計数手段を有し、前記計数手段によって所定時間だけ前記カレンダー情報が前記ディスプレイ装置に表示されることを特徴とする、請求項３記載の車載用のカレンダー出力装置。
【請求項５】外部から与えられるカレンダー情報を前記記憶手段に記憶することを特徴とする、請求項１〜４のいずれか一つ記載の車載用のカレンダー出力装置。
【請求項６】さらに、外部情報機器とインタフェースする外部機器インタフェース手段を有し、前記外部機器インタフェース手段を介して前記記憶手段に記憶されるカレンダー情報を与えることを特徴とする、請求項１〜５のいずれか一つに記載の車載用のカレンダー出力装置。
【請求項７】前記外部機器インタフェース手段は、前記外部情報機器とのインタフェースに赤外線又は所定のシリアル通信インタフェースを用いることを特徴とする、請求項６記載の車載用のカレンダー出力装置。
【発明の詳細な説明】
【０００１】
【発明の属する技術分野】
本発明は車載用のディスプレイ装置又は音響装置に関し、特にカレンダー出力機能を有するディスプレイ装置又は音響装置に関するものである。
【０００２】
【従来の技術】
従来の車載用のディスプレイ装置であってカレンダー表示機能を備えたものは、一般にディスプレイのメニュー画面からカレンダー機能に関する項目を選択して所望の内容を最終的に表示させるように構成されていた。
【０００３】
図４は、上述したカレンダー機能の利用形態の一例を示したものである。
図４の（ａ）には、車載用ディスプレイの初期画面の一例を示している。前記初期画面には、車載機器（ＦＭ多重装置、ＴＶ等）の選択ボタンと種々のサービスを提供するためのメニューボタンが用意されている。
【０００４】
本例でカレンダー機能を利用するためには、まず前記メニューボタンを押下する。次に、図４の（ｂ）に示すメニュー詳細画面でカレンダー表示ボタンを押下する。その結果、図４の（ｃ）に示すようにその日のカレンダー事項が表示される。
【０００５】
【発明が解決しようとする課題】
しかしながら、上述した従来のカレンダー機能によればドライバー自らがカレンダー機能を選択して表示させる必要があり、またそのカレンダー表示までに数ステップのボイタン押下操作等を要していた。さらに、カレンダー情報の入力・更新・削除等の操作もメニュー画面に従ったものであり、このような操作が不便である等を理由に車両に設けられたカレンダー機能はあまり利用されていなかった。
【０００６】
そこで本発明の目的は、上記問題点に鑑み、カレンダー機能を車両操作と連動させることによってカレンダーを自動出力させ、それによってカレンダー機能を有効に活用した車載用のカレンダー出力装置を提供することを目的とする。
【０００７】
また、本発明の目的は、そのカレンダー内容をディスプレイ表示するか、及び／又は音声メッセージ出力するかの選択ができる車載用のカレンダー出力装置を提供することを目的とする。
【０００８】
さらに本発明の目的は、容易にカレンダー情報の入力・更新・削除が可能な車載用のカレンダー出力装置を提供することを目的とする。
【０００９】
【課題を解決するための手段】
本発明によれば、車載機器の電源投入を検出する検出手段、カレンダー情報（個人のスケジュール情報を含む）を記憶する記憶手段、そして前記検出手段からの電源投入検出信号によって前記記憶手段からカレンダー情報を読み出し、それを所定のカレンダー出力手段に出力する制御手段から構成する車載用のカレンダー出力装置が提供される。前記検出手段は、ＡＣＣのオン信号によって車載機器の電源投入を検出する。
【００１０】
また前記装置は、前記カレンダー情報を画面に表示するか、及び／又は音声メッセージとして出力するか否かを選択的に指示する出力選択手段を有し、前記出力選択手段が画面表示を指示する場合にはカレンダー出力手段としてのディスプレイ装置に前記カレンダー情報を表示する。
【００１１】
また、前記ディスプレイ装置へのカレンダー表示時間を計数する計数手段を有し、前記計数手段によって所定時間だけ前記カレンダー情報が前記ディスプレイ装置に表示される。さらに、前記出力選択手段が音声メッセージを指示する場合にはカレンダー出力手段としての音響装置に前記カレンダー情報を音声出力する。
【００１２】
さらに前記装置は、外部情報機器とインタフェースする外部機器インタフェース手段を有し、前記外部機器インタフェース手段を介して前記記憶手段に記憶されるカレンダー情報を与える。そして、前記外部情報機器とのインタフェースには赤外線又は所定のシリアル通信インタフェースが用いられる。
【００１３】
【発明の実施の形態】
図１は、本発明による車載用のカレンダー出力装置の一実施例を示したものである。
図１において、カレンダーの出力制御を行うマイクロプロセッサ回路４には、カレンダー内容を記憶した記憶回路（ＲＡＭ／ＲＯＭ）２が接続される。前記記憶回路２には、揮発性のＲＡＭやＥ2 −ＲＯＭ等を用いた不揮発性のＲＯＭが使用され、前者の場合にはその記憶内容を保持するためにバッテリ１が接続される。
【００１４】
前記マイクロプロセッサ回路４には、さらに車両搭載機器の電源投入信号であるＡＣＣ信号を検出するＡＣＣ検出回路７と、カレンダー出力の際にカレンダー内容をディスプレイ表示するか、及び／又は音声メッセージ出力するかの選択を行うための出力選択回路８が設けられる。
【００１５】
マイクロプロセッサ回路４は、前記ＡＣＣ検出回路７により車両搭載機器の電源投入を検出するとカレンダー出力制御を開始する。そして、前記出力選択回路８からの信号に基づいて前記記憶回路２に記憶されたカレンダー内容をディスプレイ表示するか、及び／又は音声メッセージ出力する。
【００１６】
前者のディスプレイ表示を行う場合には、タイマ回路３を用いて所定時間（例えば、数秒〜数十秒）だけカレンダー表示を行う。カレンダー表示内容は、表示回路６を介してディスプレイ１１に表示され、また音声メッセージはオーディオ回路５と増幅器９を介してスピーカ１０から出力される。このように、本発明によればＡＣＣオンによって自動的にカレンダー出力がなされることになる。
【００１７】
また、外部機器インタフェース回路９は、市販されている携帯情報端末やパソコン等から例えば赤外線インタフェースや所定のシリアル通信インタフェース等を用いて所定フォーマットのカレンダー情報を入力するためのものである。
【００１８】
これによって、カレンダー情報の入力の際にメニュー画面の操作やキーボード入力操作等が不要となり、だれでも簡単にカレンダー情報を本装置に与え、またその内容を更新することができる。
【００１９】
前記携帯情報端末やパソコン等におけるカレンダー情報データと本装置で用いるカレンダー情報データとの間のデータフォマットの変換は、マイクロプロセッサ回路４が実行する。なお、前記携帯情報端末やパソコン側に前記データフォマットの変換を行う所定の変換ソフトウェア若しくは通信ソフトウェア等を移植するように構成してもよい。
【００２０】
図２は、上述したマイクロプロセッサ回路４におけるカレンダー出力制御をフローチャート化したものである。
図２のステップＳ１では、ＡＣＣオンによって車両搭載機器の電源投入を検知する。そしてステップＳ２では、出力選択回路８からの信号に基づいてカレンダー内容をディスプレイ１１に表示するか、及び／又はスピーカ１０から音声メッセージとして出力するかを判定する。
【００２１】
カレンダー表示が指示されている場合にはカレンダー表示が開始され（Ｓ３）、音声指示がなされている場合には音声メッセージが出力される（Ｓ７）。さらに、前者の場合にはタイマ回路３がスタートし、そのタイマ時間満了によって前記カレンダー表示が終了する（Ｓ４〜Ｓ６）。
【００２２】
図３は、ディスプレイ１１上のカレンダー表示の一例を示したものである。
図４の従来例と比較すると、本発明によるカレンダー出力装置では、図４の（ｃ）に示すカレンダー画面がＡＣＣオンによって即座に表示されることになる。音声出力の場合には、図３の日付とメッセージ内容がマイクロプロセッサ回路４による音声合成や前述した記憶回路２に記憶された音声データの符号化等により音声メッセージとして出力される。
【００２３】
【発明の効果】
以上述べたように、本発明によればＡＣＣオンによる車両搭載機器の電源投入によって、即座にカレンダー機能が起動され、その内容がディスプレイ表示及び／又は音声メッセージ出力される。従って、本発明によれば従来例のように面倒なカレンダ出力操作は不要となる。
【００２４】
また本発明によれば、特に誕生日や結婚記念日等のようなドライバーにとって特別の日を自動的にカレンダー表示及び／又は音声メッセージ出力させることができるため、ドライバーと車両との一体感を増大させる等の効果がある。
【００２５】
さらに本発明によれば、カレンダー情報を標準の赤外線インタフェースやシルアル通信インタフェース等を用いて市販の携帯情報端末やノートパソコン等から簡単に与えられるため、従来のメニュー画面に従ったカレンダー情報の入力／更新／削除等のボタン操作やキーボード操作が不要となる。
【図面の簡単な説明】
【図１】本発明による車載用のカレンダー出力装置の一実施例を示した図である。
【図２】本発明によるカレンダー出力制御フローの一例を示した図である。
【図３】本発明によるカレンダー表示の一例を示した図である。
【図４】従来のカレンダー機能利用形態の一例を示した図である。
【符号の説明】
１…バッテリ
２…記憶回路
３…タイマ回路
４…マイクロプロセッサ回路
７…ＡＣＣ検出回路
８…出力選択回路
９…外部機器インタフェース回路